(57)【要約】【課題】手間がかからず塵埃を回転清掃体から容易に除去できる電気掃除機用吸込口体を提供すること。【解決手段】電気掃除機用吸込口体は、吸込室１５が設けられ且つ前記吸込室１５の吸込開口１５ａが底面に開口する吸込口本体１０ａと、前記吸込開口１５ａに沿って配設された回転清掃体１８と、前記回転清掃体１８を回転駆動する駆動モータ２１を備えている。しかも、前記回転清掃体１８は、前記吸込口本体１０ａに回転自在に取り付けられ且つ前記駆動モータ２１に連動する回転軸１８ａと、前記回転軸１８ａに沿って半径方向に突出するように取り付けられた塵埃掻き上げ部材（ブラシ毛帯１８ｂ）を有する。さらに、電気掃除機用吸込口体は、前記回転清掃体１８を逆回転させたときに前記塵埃掻き上げ部材（ブラシ毛帯１８ｂ）に付着する塵埃を掻落可能な塵埃掻落蓋２５が前記吸込室１５の上壁（前上ケース１４）に設けられていると共に、前記回転清掃体１８を前進方向とは反対方向に逆回転させる操作手段（メンテナンス用スイッチ２９）が設けられている。【選択図】  図５
2006334084.tif 000002
【特許請求の範囲】
【請求項１】
吸込室が設けられ且つ前記吸込室の吸込開口が底面に開口する吸込口本体と、前記吸込開口に沿って配設された回転清掃体と、前記回転清掃体を回転駆動する駆動モータを備え、
前記回転清掃体は、前記吸込口本体に回転自在に取り付けられ且つ前記駆動モータに連動する回転軸と、前記回転軸に沿って半径方向に突出するように取り付けられた塵埃掻き上げ部材を有する電気掃除機用吸込口体において、
前記回転清掃体を逆回転させたときに前記塵埃掻き上げ部材に付着する塵埃を掻落可能な塵埃掻落部材が前記吸込室の上壁に設けられていると共に、前記回転清掃体を前進方向とは反対方向に逆回転させる操作手段が設けられていることを特徴とする電気掃除機用吸込口体。
【請求項２】
請求項１に記載の電気掃除機用吸込口体において、前記塵埃掻落部材は前記回転清掃体に対して進退動可能に前記上壁に取り付けられていると共に、前記操作手段操作されたときに前記回転清掃体を逆転させ且つ前記塵埃掻落部材を前記回転清掃体側に進出させる駆動手段が設けられていることを特徴とする電気掃除機用吸込口体。
【請求項３】
請求項１に記載の電気掃除機用吸込口体において、前記塵埃掻落部材は、前記回転清掃体の正回転時に前記塵埃掻き上げ部材に滑らかに接触し、且つ前記回転清掃体の逆回転時に前記塵埃掻き上げ部材に付着した塵埃を掻落し可能に設けられていることを特徴とする請求項１に記載の電気掃除機用吸込口体。
【請求項４】
請求項１に記載の電気掃除機用吸込口体において、前記上壁に空気導入口が形成されていると共に、前記回転清掃体の正回転時に前記空気導入口を閉成し且つ前記回転清掃体の逆回転時に前記空気導入口を開く塵埃掻落部材が設けられていることを特徴とする電気掃除機用吸込口体。
【発明の詳細な説明】
【技術分野】
【０００１】
この発明は、駆動モータにより回転駆動される回転清掃体が設けられた電気掃除機用吸込口体に関するものである。
【背景技術】
【０００２】
従来の電気掃除機の吸込口体としては、吸込口本体内に左右に延びる吸込室を設け、この吸込室の吸込開口を吸込口本体の底面に開口させ、この吸込開口に沿って吸込室に配設した回転清掃体の左右両端部を吸込口本体に回転自在に取り付けると共に、この回転清掃体を回転駆動する駆動モータを設けた構成のものが知られている。
【０００３】
このような吸込口体は、吸込口本体に回転自在に取り付けられ且つ駆動モータに連動する回転軸と、回転軸に沿って螺旋状に取り付けられた可撓性ブレードや毛ブラシ等の塵埃掻き上げ部材と、を備えているのが普通である（例えば、特許文献１参照）。
【０００４】
このような吸込口体としては、清掃面の塵埃を掻き上げる回転清掃体の回転が吸込口体の前進方向に推進力を与えるように、回転清掃体を駆動モータで正回転方向に回転駆動するようになっているものも知られている。
【特許文献１】特開２００４−１４７６９１号公報
【発明の開示】
【発明が解決しようとする課題】
【０００５】
このような吸込口体では、回転清掃体に糸くずや髪の毛等の塵埃が巻き付いたり、毛ブラシの場合には糸くずや髪の毛等とこれ以外の細かい塵埃も付着したまま残ってしまうこともある。この場合には、回転清掃体による塵埃の掻き上げ効率が低下するために、回転清掃体に付着した塵埃を取り除く必要がある。
【０００６】
しかしながら、この塵埃を回転清掃体から除去するには回転清掃体を吸込口本体から取り外す必要があり、塵埃の除去に手間がかかるものであった。
【０００７】
そこで、この発明は、手間がかからず塵埃を回転清掃体から容易に除去できる電気掃除機用吸込口体を提供することを目的とするものである。
【課題を解決するための手段】
【０００８】
この目的を達成するため、この発明は、吸込室が設けられ且つ前記吸込室の吸込開口が底面に開口する吸込口本体と、前記吸込開口に沿って配設された回転清掃体と、前記回転清掃体を回転駆動する駆動モータを備え、前記回転清掃体は、前記吸込口本体に回転自在に取り付けられ且つ前記駆動モータに連動する回転軸と、前記回転軸に沿って半径方向に突出するように取り付けられた塵埃掻き上げ部材を有する電気掃除機用吸込口体において、前記回転清掃体を逆回転させたときに前記塵埃掻き上げ部材に付着する塵埃を掻落可能な塵埃掻落部材が前記吸込室の上壁に設けられていると共に、前記回転清掃体を前進方向とは反対方向に逆回転させる操作手段が設けられている電気掃除機用吸込口体としたことを特徴とする。
【発明の効果】
【０００９】
この構成によれば、操作手段を操作して回転清掃体を逆回転させることにより、前記塵埃掻き上げ部材が塵埃掻落部材に接触して、前記塵埃掻き上げ部材に付着した塵埃を塵埃掻落部材により掻き落とすことができるので、手間がかからず塵埃を回転清掃体から容易に除去できる。
【発明を実施するための最良の形態】
【００１０】
以下、この発明の実施の形態を図面に基づいて説明する。
[構成]
図１において、１は電気掃除機の掃除機本体、２は掃除機本体１の本体ケース、３は本体ケース２の前部に設けられた集塵室、４は集塵室３内に装着された紙パックフィルタ（集塵フィルタ）、５は本体ケース２の後部内に配設され且つ集塵室３に吸込負圧を作用させる電動送風機である。
【００１１】
この本体ケース２の前端部には、紙パックフィルタ４の図示しない口枠の接続口に連通するホース接続口６が形成されている。このホース接続口６には集塵ホース７の一端部に取り付けた接続筒７ａが着脱可能に嵌着されている。しかも、接続筒７ａは紙パックフィルタ４の図示しない接続口に接続されている。
【００１２】
また、集塵ホース７の他端部には手元操作パイプ８が取り付けられ、手元操作パイプ８には延長管（延長パイプ）９を介して吸込口体１０が接続されている。
【００１３】
尚、図１において、８ａは手元操作パイプ８に設けられた操作パネルである。この操作パネル８ａには、「弱／中」吸込風量切り替え用のスイッチＳ１と、「強」吸込風量用のスイッチＳ２と、「切り」用のスイッチＳ３等が設けられている。
（吸込口体１０）
この吸込口体１０は、図１，図２，図２Ａに示したように、左右に延びる吸込口本体１０ａを有する。この吸込口本体１０ａは、左右に延びる下ケース１１と、下ケース１１上に取り付けられた上ケース１２を有する。この下ケース１１は、図３に示したように、左右方向の両端部に前側に突出する軸受支持部１１ａ，１１ｂを有する。
【００１４】
また、上ケース１２は、下ケース１１の後側に着脱可能に取り付けられた後上ケース１３と、下ケース１１の軸受支持部１１ａ，１１ｂ間の上部を覆うように軸受支持部１１ａ，１１ｂ及び後上ケース１３の前部上に着脱可能に取り付けられた前上ケース（カバー）１４を有する。この前上ケースの１４の下方には、図４，図５に示したように、左右に細長く延びる吸込室１５が形成されている。この吸込室１５の左右に延びる吸込開口１５ａは下ケース１１の底面（下面）に開口している。しかも後上ケース１３の左右方向中央部には、図３に示したように吸込室１５に開口する吸込風路１６が形成されている
また、吸込口体１０は、図１〜図３に示したように、後上ケース１３の左右方向の中央部の後部側に任意の方向に傾動可能に取り付けられた接続パイプ１７を有する。この接続パイプ１７は、図３の吸込風路１６を介して吸込室１５に連通していると共に、延長管９に着脱可能に嵌合接続されている。
【００１５】
更に、吸込口体１０は、図３に示したように吸込開口１５ａに沿って吸込室１５内に配設されたメイン回転清掃体１８を有する。このメイン回転清掃体１８は、左右に延びる回転軸１８ａと、回転軸１８ａに螺旋帯状に保持された複数本のブラシ毛帯（塵埃掻き上げ部材）１８ｂと、回転軸１８ａの両端部を回転自在に保持する方形状の軸受１８ｃ，１８ｄを有する。
【００１６】
この軸受１８ｃ，１８ｄは、軸受支持部１１ａ，１１ｂの上下に延びる係合溝１１ａ１，１１ｂ１に上方から挿入係合させて、前上ケース１４の両端部で押さえ付けることで、前上ケース１４の両端部と軸受支持部１１ａ，１１ｂとの間に保持されている。これにより、回転軸１８ａは軸線回りに回転するように、軸受１８ｃ，１８ｄを介して吸込口本体１０ａに保持されている。尚、この保持の状態の図示は省略してある。
【００１７】
そして、ブラシ毛帯１８ｂは、メイン回転清掃体１８の回転に伴い吸込開口１５ａから下方に突出して、清掃面（床面）Ｓの塵埃を掻き上げるようになっている。尚、下ケース１１の軸受支持部１１ａ，１１ｂには図３に示したように前輪１９，１９が取り付けられ、下ケース１１の後部には図４に示したように後輪２０が取り付けられていて、この前輪１９と後輪２０は図４のように下ケース１１を清掃面Ｓから僅かに浮かせている。
【００１８】
また、吸込口体１０は、図３に示したように後上ケース１３と下ケース１１との間に配設され、下ケース１１に取り付けられた駆動モータ（駆動手段）２１と、駆動モータ２１の回転をメイン回転清掃体１８に伝達する動力伝達手段２２を有する。この動力伝達手段２２は、回転軸１８ａの軸受１８ｄ側の端部近傍に固定されたタイミングプーリ１８ｅと、駆動モータ２１の出力軸２１ａに取り付けられたタイミングプーリ２１ｂと、タイミングプーリ１８ｅ，２１ｂに掛け渡されたタイミングベルト２３を有する。
【００１９】
更に、前上ケース１４には図１，図２，図２Ａに示したように、回転清掃体１８のブラシ毛帯１８ｂを設けた部分に沿って左右に延びる開口２４が形成されている。この前上ケース１４には、開口２４内に配設した塵埃掻落蓋（塵埃掻落部材）２５の後縁両側部が左右に延びる支持軸２６を中心に回動可能に取り付けられている。
【００２０】
また、前上ケース１４の内面には図４，図５に示したように支持突部１４ａが設けられ、支持突部１４ａにはソレノイド２７が取り付けられている。このソレノイド２７は、塵埃掻落部蓋２５を回転清掃体１８側に僅かに開閉回動させるようになっている。そして、図５の如く塵埃掻落部蓋２５がソレノイド２７で回転清掃体１８側に開かれたときに、塵埃掻落部蓋２５の先端がブラシ毛帯１８ｂに当たる位置まで移動すると共に、塵埃掻落部蓋２５の先端と開口２４の前縁との間に左右にスリット状に延びる空気導入口２８が形成されるようになっている（図２Ａ参照）。尚、後上ケース１３にはメンテナンス用スイッチ２９が設けられている。また、塵埃掻落部蓋２５は図示を省略したネジリコイルバネで開口２４を閉成する方向に回動付勢されている。このネジリコイルバネは支持軸２６に捲回した状態で塵埃掻落部蓋２５と前上ケース１４との間に介装することができる。
【００２１】
また、操作パネル８ａからの操作信号は、図６に示した演算制御回路（制御手段）３０に入力されるようになっている。この演算制御回路３０は、操作パネル８ａからの操作信号を受けて電動送風機５及び駆動モータ２１を回転制御するようになっている。尚、演算制御回路３０は、通常の操作パネル８ａからの操作信号を受けたとき、回転清掃体１８が吸込口体１０の前進方向に回転するように、駆動モータ２１を回転制御させるようになっている。
【００２２】
更に、演算制御回路３０は、メンテナンス用スイッチ２９からのＯＮ信号を受けると、駆動モータ２１を逆転させると共に、ソレノイド２７を作動させて、塵埃掻落部蓋２５をこれの先端にブラシ毛帯１８ｂが当たるまでソレノイド２７により回転清掃体１８側に回動させるようになっている。
【００２３】
次に、このような構成の電気掃除機の作用を説明する。
（１）通常の清掃面Ｓの清掃
手元操作パイプ８に設けた「弱／中」吸込風量切り替え用のスイッチＳ１又は「強」吸込風量用のスイッチＳ２をオン操作すると、演算制御回路３０が電動送風機５を作動させ、電動送風機５の吸込負圧を集塵室３に作用させる。
【００２４】
この集塵室３に作用する吸込負圧は、図１の状態で紙パックフィルタ４，集塵ホース７，手元操作パイプ８，延長管９，接続パイプ１７を介して吸込口本体１０ａの吸込室１５に作用する。
【００２５】
一方、演算制御回路３０は、スイッチＳ１，Ｓ２のＯＮ操作により駆動モータ２１を作動制御して、駆動モータ２１の回転を動力伝達手段２２のタイミングプーリ２１ｂ，１８ｅ及びタイミングベルト２３を介してメイン回転清掃体１８に伝達させ、メイン回転清掃体１８を図４の矢印Ａ１で示したように時計回り方向（吸込口体１０に前進方向への回転力を与える回転方向）に回転させる。
【００２６】
これにより、メイン回転清掃体１８は、回転しながらブラシ毛帯１８ｂの一部を吸込開口１５ａから下方に突出して、ブラシ毛帯１８ｂにより清掃面Ｓの塵埃を後方に掻き上げさせる。
【００２７】
そして、吸込室１５に作用する吸込負圧は、清掃面Ｓの塵埃の一部を直接空気（エア）と共に吸込室１５内に吸い込む一方、メイン回転清掃体１８で掻き上げられた清掃面Ｓの塵埃を空気と共に吸込室１５内に吸い込むことになる。
そして、吸込室１５内に吸い込まれた塵埃を含む空気は、接続パイプ１７，延長管９，手元操作パイプ８及び集塵ホース７を介して紙パックフィルタ４内に吸い込まれて、紙パックフィルタ４を透過する。
【００２８】
この際、エアと共に吸い込まれる塵埃が紙パックフィルタ４に捕捉され、紙パックフィルタ４を透過する空気が清浄される。この清浄された空気は、電動送風機５に吸い込まれて内部を冷却した後、最終的に外部に排気される。
【００２９】
従って、吸込口体１０の吸込口本体１０ａを清掃面Ｓに沿って前進移動させることにより、通常の状態での清掃を行うことができる。
（２）回転清掃体１８のメンテナンス
また、このような清掃作業に伴い、回転清掃体１８に糸くずや髪の毛等の塵埃が巻き付いたり、回転清掃体１８のブラシ毛帯１８ｂに埃や細かい塵埃が付着して、ブラシ毛帯１８ｂによる塵埃掻き上げ効率が低下する。
【００３０】
この場合には、電動送風機５及び駆動モータ２１が作動している状態で、メンテナンス用スイッチ２９をＯＮさせ、このＯＮ信号を演算制御回路３０に入力する。これにより演算制御回路３０は、駆動モータ２１を逆転制御して、回転清掃体１８を前進方向とは反対方向、即ち図５の矢印Ａ２で示した反時計回り方向に回転させる。
【００３１】
一方、演算制御回路３０は、メンテナンス用スイッチ２９のＯＮ信号を受けて、ソレノイド２７を駆動させ、塵埃掻落蓋２５の先端に回転清掃体１８のブラシ毛帯１８ｂが当たるまでソレノイド２７により塵埃掻落蓋２５を回転清掃体１８側に回動させる。これにより、回転清掃体１８に巻き付いた糸くずや髪の毛等の塵埃或いは回転清掃体１８のブラシ毛帯１８ｂに付着した埃や細かい塵埃が塵埃掻落蓋２５により掻き落とされることになる。
【００３２】
また、塵埃掻落蓋２５の回転清掃体１８側への回動により、塵埃掻落蓋２５と開口２４の下縁との間に空気導入口２８が形成されて、矢印Ａ３で示したように空気が吸込室１５の塵埃掻落蓋２５と回転清掃体１８との間に吸い込まれる。この吸い込まれた空気は、塵埃掻落蓋２５により掻き落とされた塵埃と共に吸込室１５の後部側に吸い込まれた後、接続パイプ１７，延長管９，手元操作パイプ８及び集塵ホース７を介して紙パックフィルタ４内に吸い込まれて、紙パックフィルタ４を透過する。
【００３３】
この際、空気と共に吸い込まれる塵埃が紙パックフィルタ４に捕捉され、紙パックフィルタ４を透過するエアが清浄される。この清浄された空気は、電動送風機５に吸い込まれて内部を冷却した後、最終的に外部に排気される。このようにして回転清掃体１８に付着した塵埃が除去される。尚、このようなメンテナンスは定期的に行っても良い。
【００３４】
尚、ソレノイド２７は、吸込室１５内に配設しているが、前上ケース１４の上面側に設けることもできる。この場合には、ソレノイドが吸込室１５内の空気の流れの邪魔になることはない。
（変形例１）
以上説明した例では、前上ケース１４に開口２４を設けて、この開口２４の開閉を行う塵埃掻落蓋２５により回転清掃体１８に付着した塵埃を除去するようにしたが、必ずしもこの構成に限定されるものではない。
【００３５】
例えば、図７（ａ）に示したように前上ケース１４に回転清掃体１８側に向けて開口する空気導入口４０を設け、この空気導入口４０を塵埃掻落部材４１により開閉するようにしても良い。
【００３６】
この場合も、空気導入口４０は回転清掃体１８のブラシ毛帯１８ｂを設けた部分に沿ってスリット状に形成されている。また、塵埃掻落部材４１は、図７（ａ）後縁部が前上ケース１４の内面に支持軸４２ａを介して回動自在に取り付けられた導入口開閉板４２と、この導入口開閉板４２の先端部に植毛された掻落用ブラシ４３を有する[図７（ｂ）参照]。尚、導入口開閉板４２は図示を省略したネジリコイルバネで空気導入口４０を閉成する方向に回動付勢されている。このネジリコイルバネは支持軸４２ａに捲回した状態で導入口開閉板４２と前上ケース１４との間に介装することができる。
【００３７】
また、前上ケース１４の内面には支持突部４４が形成され、この支持突部４４にはソレノイド４５が取り付けられている。このソレノイド４５は、図９に示したメンテナンス用スイッチ２９がＯＮさせられたときに演算制御回路３０により作動制御されて、作動時に塵埃掻落部材４１を図８に示したように回転清掃体１８側に回動させるようになっている。
【００３８】
尚、この変形例でも演算制御回路３０は、通常の清掃時に回転清掃体１８を図７（ａ）に矢印Ａ１で示したように吸込口体１０の前進方向に回転させるようにしている。また、通常の清掃時には、塵埃掻落部材４１の導入口開閉板４２が図示しないネジリコイルバネのバネ力で空気導入口４０を閉成するようになっている。
【００３９】
このような構成においては、メンテナンス用スイッチ２９がＯＮさせられると、このＯＮ信号が演算制御回路３０に入力される。この演算制御回路３０は、メンテナンス用スイッチ２９がＯＮ信号を受けると、駆動モータ２１を逆転させて、回転清掃体１８を図８に示したように逆回転させる。
【００４０】
これに伴い演算制御回路３０は、ソレノイド４５を作動させて、塵埃掻落部材４１の掻落用ブラシ４３に回転清掃体１８のブラシ毛帯１８ｂが当たるまで、ソレノイド４５により塵埃掻落部材４１を図８に示したように回転清掃体１８側に回動させる。そして、回転清掃体１８の逆回転により、この回転清掃体１８のブラシ毛帯１８ｂの塵埃が掻落用ブラシ４３により梳かれて、回転清掃体１８のブラシ毛帯１８ｂに付着した塵埃が掻き落とされる。
【００４１】
一方、この回動により、空気導入口４０が開かれて、空気導入口４０から空気が図８の矢印Ａ４で示したように略掻落用ブラシ４３とブラシ毛帯１８ｂとの接触する方向に向けて吸い込まれる。この吸い込まれた空気は、掻落用ブラシ４３により回転清掃体１８のブラシ毛帯１８ｂから掻き落とされた塵埃と共に吸込室１５の後部側に流れた後、図１の接続パイプ１７，延長管９，手元操作パイプ８及び集塵ホース７を介して紙パックフィルタ４内に吸い込まれて、紙パックフィルタ４を透過する。
【００４２】
この際、空気と共に吸い込まれる塵埃が紙パックフィルタ４に捕捉され、紙パックフィルタ４を透過するエアが清浄される。この清浄された空気は、電動送風機５に吸い込まれて内部を冷却した後、最終的に外部に排気される。このようにして回転清掃体１８に付着した塵埃が除去される。
【００４３】
尚、この変形例でも、図１〜図６に示した構成と同一部分又は類似する部分には図１〜図６に示した符号と同一の符号を付して、その説明を省略した。
（変形例２）
以上説明した例では、塵埃掻落蓋２５や塵埃掻落部材４１等の可動部材を用いて、メンテナンス時に回転清掃体１８に付着した塵埃を掻き落とすようにした例を示したが、必ずしもこの構成に限定されるものではない。
【００４４】
例えば、図１０（ａ）に示したように、前上ケース１４の中間部に前下方に傾斜する傾斜内面１４ｂを設けて、この傾斜内面１４ｂに回転清掃体１８側に突出する突部４６を設け、この突部４６の前端部に掻落用ブラシ４７を植毛した構成としても良い。
【００４５】
この場合、突部４６及び掻落用ブラシ４７は回転清掃体１８のブラシ毛帯１８ｂに沿って設けられる[図１０（ｂ）参照]。しかも、掻落用ブラシ４７は、図１０（ａ）の矢印Ａ１で示したように回転清掃体１８の前進方向への回転時には、回転清掃体１８のブラシ毛帯１８ｂが滑らかに接触でき、回転清掃体１８が逆回転させられた時には、先端が回転清掃体１８のブラシ毛帯１８ｂを梳くように作用するようになっている。そして、回転清掃体１８のブラシ毛帯１８ｂから掻き落とされた塵埃は、空気と共に吸込室１５の後部に吸い込まれた後、図１の接続パイプ１７,延長管９，手元操作パイプ８及び集塵ホース７を介して紙パックフィルタ４内に吸い込まれて、紙パックフィルタ４を透過する。
【００４６】
この際、空気と共に吸い込まれる塵埃が紙パックフィルタ４に捕捉され、紙パックフィルタ４を透過するエアが清浄される。この清浄された空気は、電動送風機５に吸い込まれて内部を冷却した後、最終的に外部に排気される。このようにして回転清掃体１８に付着した塵埃が除去される。
【００４７】
尚、この変形例でも、図１〜図６に示した構成と同一部分又は類似する部分には図１〜図６に示した符号と同一の符号を付して、その説明を省略した。
（変形例３）
また、変形例２では、塵埃掻落蓋２５や塵埃掻落部材４１等の可動部材を用いて、メンテナンス時に回転清掃体１８に付着した塵埃を掻き落とすようにした例を示したが、前上ケース１４の内面に固定した傾斜する掻落用ブラシ４７を用いて回転清掃体１８に付着した塵埃を掻き落とすようにしたが、必ずしもこの構成に限定されるものではない。
【００４８】
例えば、図１１（ａ）に示したように、前上ケース１４の中間部に前斜め下方に傾斜する傾斜内面１４ｂを設けて、この傾斜内面１４ｂに回転清掃体１８側に図１１（ｂ）に示したような櫛歯４８を設けた構成としても良い。
【００４９】
この場合、櫛歯４８は、後側から前側に向けて回転清掃体１８側に傾斜する傾斜ガイド辺（傾斜ガイド部）４８ａと、傾斜ガイド辺４８ａの前端から傾斜内面１４ｂに対して略垂直に設けられた塵埃掻落辺（塵埃掻落部）４８ｂを設けた構成としても良い。
【００５０】
このような構成において、図１１（ａ）の矢印Ａ１で示したように回転清掃体１８の前進方向への回転時には、回転清掃体１８のブラシ毛帯１８ｂが櫛歯４８は傾斜ガイド辺４８ａの作用により櫛歯４８に滑らかに接触でき、回転清掃体１８が逆回転させられた時には、先端の塵埃掻落辺４８ｂが回転清掃体１８のブラシ毛帯１８ｂを梳くように作用するようになっている。
【００５１】
そして、回転清掃体１８のブラシ毛帯１８ｂから掻き落とされた塵埃は、空気と共に吸込室１５の後部に吸い込まれた後、図１の接続パイプ１７延長管９，手元操作パイプ８及び集塵ホース７を介して紙パックフィルタ４内に吸い込まれて、紙パックフィルタ４を透過する。
【００５２】
この際、空気と共に吸い込まれる塵埃が紙パックフィルタ４に捕捉され、紙パックフィルタ４を透過するエアが清浄される。この清浄された空気は、電動送風機５に吸い込まれて内部を冷却した後、最終的に外部に排気される。このようにして回転清掃体１８に付着した塵埃が除去される。
【００５３】
尚、この変形例でも、図１〜図６に示した構成と同一部分又は類似する部分には図１〜図６に示した符号と同一の符号を付して、その説明を省略した。
【００５４】
以上説明したように、この発明の実施の形態の電気掃除機用吸込口体は、吸込室１５が設けられ且つ前記吸込室１５の吸込開口１５ａが底面に開口する吸込口本体１０ａと、前記吸込開口１５ａに沿って配設された回転清掃体１８と、前記回転清掃体１８を回転駆動する駆動モータ２１を備えている。しかも、前記回転清掃体１８は、前記吸込口本体１０ａに回転自在に取り付けられ且つ前記駆動モータ２１に連動する回転軸１８ａと、前記回転軸１８ａに沿って半径方向に突出するように取り付けられた塵埃掻き上げ部材（ブラシ毛帯１８ｂ）を有する。さらに、電気掃除機用吸込口体は、前記回転清掃体１８を逆回転させたときに前記塵埃掻き上げ部材（ブラシ毛帯１８ｂ）に付着する塵埃を掻落可能な塵埃掻落部材（塵埃掻落蓋２５，塵埃掻落部材４１，掻落用ブラシ４７，櫛歯４８）が前記吸込室１５の上壁（前上ケース１４）に設けられていると共に、前記回転清掃体１８を前進方向とは反対方向に逆回転させる操作手段（メンテナンス用スイッチ２９）が設けられている。
【００５５】
この構成によれば、操作手段を操作（メンテナンス用スイッチ２９をＯＮ）して回転清掃体１８を逆回転させることにより、前記塵埃掻き上げ部材（ブラシ毛帯１８ｂ）が塵埃掻落部材（２５，４１，４７，４８）に接触して、前記塵埃掻き上げ部材（ブラシ毛帯１８ｂ）に付着した塵埃を塵埃掻落部材（２５，４１，４７，４８）により掻き落とすことができるので、手間がかからず塵埃を回転清掃体１８から容易に除去できる。
【００５６】
また、この発明の実施の形態の電気掃除機用吸込口体において、前記塵埃掻落部材（塵埃掻落蓋２５，塵埃掻落部材４１）は前記回転清掃体１８に対して進退動可能に前記上壁（前上ケース１４）に取り付けられていると共に、前記操作手段（メンテナンス用スイッチ２９）が操作されたときに前記塵埃掻落部材（塵埃掻落蓋２５，塵埃掻落部材４１）を前記回転清掃体１８側に進出させる駆動手段（ソレノイド２７，４５）が設けられている。
【００５７】
この構成によれば、通常の清掃時には塵埃掻落部材（塵埃掻落蓋２５，塵埃掻落部材４１）が回転清掃体１８の回転を阻害しないので、回転清掃体１８にかかる負荷が増大せず、駆動モータ２１にかかる負荷が増大せず、消費電力が増加しない。
【００５８】
また、この発明の実施の形態の電気掃除機用吸込口体において、前記塵埃掻落部材（掻落用ブラシ４７，櫛歯４８）は、前記回転清掃体１８の正回転時に前記塵埃掻き上げ部材（ブラシ毛帯１８ｂ）に滑らかに接触し、且つ前記回転清掃体１８の逆回転時に前記塵埃掻き上げ部材（ブラシ毛帯１８ｂ）に付着した塵埃を掻落し可能に設けられている。
【００５９】
この構成によれば、簡単な構成で、塵埃掻き上げ部材（ブラシ毛帯１８ｂ）に付着した塵埃を掻き落とすことができる。
【００６０】
また、この発明の実施の形態の電気掃除機用吸込口体において、前記上壁（前上ケース１４）に空気導入口４０が形成されていると共に、前記回転清掃体１８の正回転時に前記空気導入口４０を閉成し且つ前記回転清掃体１８の逆回転時に前記空気導入口（２８，４０）を開く塵埃掻落部材（塵埃掻落蓋２５，塵埃掻落部材４１）が設けられている。
【００６１】
この構成によれば、回転清掃体１８から塵埃掻落部材（２５，４１）により掻き落とされた塵埃を空気導入口（２８，４０）から吸い込まれた空気により吸込室１５の後部に滑らかに移動させて、吸込口体１０に接続される掃除機本体１の集塵室３に吸い込ませることができる。
【図面の簡単な説明】
【００６２】
【図１】この発明に係る吸込口体を備える電気掃除機の概略斜視図である。
【図２】図１に示した吸込口体の斜視図である。
【図２Ａ】図２に示した吸込口体の作用説明図である。
【図３】図２に示した前上ケースを覗いた状態の吸込口体の斜視図である。
【図４】図１，図２に示した吸込口体の概略作用説明図である。
【図５】図４に示した吸込口体の作用説明図である。
【図６】図１に示した電気掃除機の制御回路図である。
【図７】（ａ）はこの発明の吸込口体の変形例を示す概略説明図、（ｂ）は（ａ）の塵埃掻落部材の部分平面図である。
【図８】図７の吸込口体の他の状態を示す作用説明図である。
【図９】図７，図８の吸込口体を用いた電気掃除機の制御回路図である。
【図１０】（ａ）はこの発明の吸込口体の他の変形例を示す概略説明図、（ｂ）は（ａ）の塵埃掻落部材の部分平面図である。
【図１１】（ａ）はこの発明の吸込口体の更に他の変形例を示す概略説明図、（ｂ）は（ａ）の塵埃掻落部材の部分平面図である。
【符号の説明】
【００６３】
１０…吸込口体
１０ａ…吸込口本体
１４…前上ケース（上壁）
１５…吸込室
１５ａ…吸込開口
１８…回転清掃体
１８ａ…回転軸
１８ｂ…ブラシ毛帯（塵埃掻き上げ部材）
２１…駆動モータ
２５…塵埃掻落蓋（塵埃掻落部材）
２７…ソレノイド（駆動手段）
２８…空気導入口
２９…メンテナンス用スイッチ
４０…空気導入口
４１…塵埃掻落部材
４５…ソレノイド（駆動手段）
４７…掻落用ブラシ（塵埃掻落部材）
４８…櫛歯（塵埃掻落部材）
【図１】
2006334084.tif 000003
【図２】
2006334084.tif 000004
【図２Ａ】
2006334084.tif 000005
【図３】
2006334084.tif 000006
【図４】
2006334084.tif 000007
【図５】
2006334084.tif 000008
【図６】
2006334084.tif 000009
【図７】
2006334084.tif 000010
【図８】
2006334084.tif 000011
【図９】
2006334084.tif 000012
【図１０】
2006334084.tif 000013
【図１１】
2006334084.tif 000014